(57)【要約】【課題】　旅行等に出かけた際に取得した画像データとそれを取得した地図上の場所とを対応付けたアルバムを作成するに際し、画像データと場所との対応付けを容易に行う。【解決手段】　アルバム作成支援サーバ３の保管手段３１に複数の地図データを保管する。ユーザはパソコン２からアルバム作成支援サーバ３にアクセスし、アルバム作成を依頼する。パソコン２に画像データＳ０の転送とユーザの移動経路を特定するための情報の入力を受け付ける画面が表示される。ユーザは出発地点、出発時間および最終目的地等の情報を入力し、画像データＳ０をアルバム作成支援サーバ３に送信する。アルバム作成サーバ３３は、これらの情報に基づいてユーザの移動経路を表す移動経路情報を作成し、画像データＳ０に付与された撮影日時情報に基づいて移動経路上での画像データＳ０の取得場所を推定し、画像データＳ０と地図とを対応付けてアルバムデータＡＬを作成する。【選択図】　　　　　図１
2004139575.tif 000002
【特許請求の範囲】
【請求項１】
　取得時間を表す時間情報が付与された少なくとも１つの画像データに基づいて、該画像データを含むアルバムデータを作成するアルバム作成装置において、
　移動経路および該移動経路上の所望とする位置における通過時刻に関する情報を含む移動経路情報を取得する移動経路情報取得手段と、
　該移動経路情報に基づいて、前記移動経路を含む地図データを、複数の地図データを記憶した地図データベースから取得する地図データ取得手段と、
　前記移動経路情報および前記時間情報に基づいて、前記移動経路上における前記画像データの取得場所を推定する取得場所推定手段と、
　前記移動経路における前記取得場所に前記画像データが取得されたことを表す取得情報を付与するとともに、前記取得情報と前記画像データとを関連付けた前記地図データを含むアルバムデータを作成するアルバムデータ作成手段とを備えたことを特徴とするアルバム作成装置。
【請求項２】
　前記アルバムデータ作成手段は、前記取得場所に関連する関連情報をさらに取得し、該関連情報を前記地図データと関連付けて前記アルバムデータを作成する手段であることを特徴とする請求項１記載のアルバム作成装置。
【請求項３】
　前記移動経路情報取得手段は、前記移動経路情報を、少なくとも出発地点、最終目的地、出発日時、最終目的地への到着日時および移動方法の情報に基づいて取得する手段であることを特徴とする請求項１または２記載のアルバム作成装置。
【請求項４】
　前記地図データ取得手段は、前記アルバムを作成するユーザのユーザ情報にも基づいて、前記地図データを取得する手段であることを特徴とする請求項１から３のいずれか１項記載のアルバム作成装置。
【請求項５】
　取得時間を表す時間情報が付与された少なくとも１つの画像データに基づいて、該画像データを含むアルバムデータを作成するアルバム作成方法において、
　移動経路および該移動経路上の所望とする位置における通過時刻に関する情報を含む移動経路情報を取得し、
　該移動経路情報に基づいて、前記移動経路を含む地図データを、複数の地図データを記憶した地図データベースから取得し、
　前記移動経路情報および前記時間情報に基づいて、前記移動経路上における前記画像データの取得場所を推定し、
　前記移動経路における前記取得場所に前記画像データが取得されたことを表す取得情報を付与するとともに、前記取得情報と前記画像データとを関連付けた前記地図データを含むアルバムデータを作成することを特徴とするアルバム作成方法。
【請求項６】
　取得時間を表す時間情報が付与された少なくとも１つの画像データに基づいて、該画像データを含むアルバムデータを作成するアルバム作成方法をコンピュータに実行させるためのプログラムにおいて、
　移動経路および該移動経路上の所望とする位置における通過時刻に関する情報を含む移動経路情報を取得する手順と、
　該移動経路情報に基づいて、前記移動経路を含む地図データを、複数の地図データを記憶した地図データベースから取得する手順と、
　前記移動経路情報および前記時間情報に基づいて、前記移動経路上における前記画像データの取得場所を推定する手順と、
　前記移動経路における前記取得場所に前記画像データが取得されたことを表す取得情報を付与するとともに、前記取得情報と前記画像データとを関連付けた前記地図データを含むアルバムデータを作成する手順とを有するプログラム。
【発明の詳細な説明】
【技術分野】
【０００１】
　本発明は、旅行中に取得した画像データに基づいてアルバムを作成するアルバム作成装置および方法並びにアルバム作成方法をコンピュータに実行させるためのプログラムに関するものである。
【背景技術】
【０００２】
　旅行アルバムを作成する場合には、訪問先で撮影した写真を現像後、地図、イラスト、説明等と組み合わせてプリント出力している。一方、デジタルカメラにより取得したデジタルの画像データ、あるいは銀塩フイルムに記録された画像をスキャナにより読み取ることにより取得したデジタルの画像データを用いてデジタルのアルバムを作成することも行われている。
【０００３】
　このようなデジタルのアルバムを作成するに際し、例えば、タグ情報に撮影日時を表す情報が記述された画像データと、地図、地図上の座標、到着時間および出発時間により構成されたレイアウトデータベースとを整合させて、レイアウトデータベースから選択されたレイアウト上に、地図および画像データを付与するようにしたシステムが提案されている（特許文献１参照）。このシステムによれば、写真を取り違える等のミスを無くすとともに、旅行アルバムを簡易に作成することができる。
【０００４】
　また、画像データと画像データを取得した場所とをマニュアル操作により対応付け、取得場所を地図上に表示するようにしたシステムも知られている。このようなシステムによれば、画像データと地図上における画像データの取得場所との対応関係を容易に認識することができる。
【特許文献１】特開平１０−１２６７３１号公報
【発明の開示】
【発明が解決しようとする課題】
【０００５】
　ここで、上記特開平１０−１２６７３１号公報に記載されたシステムにおいては、地図上の訪問先毎に滞在時間が予め定められており、その滞在時間に対応する撮影日時を表す情報がタグ情報に記述された画像データが、地図上におけるその訪問先に対応する位置に付与される。このため、訪問先への到着時刻が遅れる等して、本来定められた滞在時間とは異なる時間にその訪問先の画像データを取得した場合、地図上におけるその訪問先に対応する位置には画像データを付与することができなくなってしまう。また、滞在時間と画像データに付与された時間情報とがずれると、地図上のその訪問先に対応する位置とその訪問先において取得した画像データとが対応しなくなってしまうという問題もある。
【０００６】
　この場合、マニュアル操作により画像データと画像データを取得した場所とを対応付けることにより、地図上の訪問先に対応する位置と訪問先において取得した画像データとを対応付けることができる。しかしながら、このような対応付けを行うためには、訪問先の地図を選択し、さらには画像データを再生して撮影場所の確認を行いながら、画像データと地図上の訪問先とを対応付ける必要があるため、その作業が非常に面倒である。
【０００７】
　本発明は上記事情に鑑みなされたものであり、画像データとそれを取得した地図上の場所とを対応付けたアルバムを作成するに際し、画像データと場所との対応付けを簡易に行うことを目的とする。
【課題を解決するための手段】
【０００８】
　本発明によるアルバム作成装置は、取得時間を表す時間情報が付与された少なくとも１つの画像データに基づいて、該画像データを含むアルバムデータを作成するアルバム作成装置において、
　移動経路および該移動経路上の所望とする位置における通過時刻に関する情報を含む移動経路情報を取得する移動経路情報取得手段と、
　該移動経路情報に基づいて、前記移動経路を含む地図データを、複数の地図データを記憶した地図データベースから取得する地図データ取得手段と、
　前記移動経路情報および前記時間情報に基づいて、前記移動経路上における前記画像データの取得場所を推定する取得場所推定手段と、
　前記移動経路における前記取得場所に前記画像データが取得されたことを表す取得情報を付与するとともに、前記取得情報と前記画像データとを関連付けた前記地図データを含むアルバムデータを作成するアルバムデータ作成手段とを備えたことを特徴とするものである。
【０００９】
　「時間情報」は、デジタルカメラにより取得された画像データについては、そのタグ情報に付与された撮影日時を表す情報をそのまま用いることができる。一方、磁気情報を記録可能な磁気記録部を有するフイルムの場合は、フイルムの磁気記録部に撮影日時の情報を記録することができるため、フイルムに記録された画像を読み取ることにより取得した画像データについては、フイルムに記録された撮影日時の情報を時間情報として用いることができる。
【００１０】
　「移動経路情報」は、移動経路、すなわち自宅等の基準となる出発地点から最終目的地までどのような経路を通って辿り着いたかを表す情報であって、移動経路上における所望とする位置における通過時刻に関する情報を含むものである。
【００１１】
　「移動経路上の所望とする位置における通過時刻に関する情報」とは、必ずしも移動経路上の全ての位置における通過時刻を表すもののみではなく、移動経路上における任意の位置を指定した場合に、指定した位置における通過時刻を推定可能な情報も含むものである。例えば、出発時刻と到着時刻のみであっても、出発地点と到着地点との距離が分かれば、移動経路における平均速度を算出することができ、さらに、指定した位置の出発地点からの距離が分かれば、その距離と平均速度とから指定した位置における通過時刻を算出することができる。
【００１２】
　ここで、ＧＰＳ機能を有するデジタルカメラにより取得した画像データにはその取得場所を表すＧＰＳ情報が付与されている。また、磁気記録可能なフイルムを使用するとともにＧＰＳ手段を有するカメラにより撮影を行ったフイルムから画像データを得た場合には、フイルムに記録されたＧＰＳ情報を画像データに付与することができる。このような場合、画像データに付与されたＧＰＳ情報を用いて、画像データの取得経路を辿ることにより、移動経路情報を取得することができる。また、マニュアル操作によりどのような経路を通って最終目的地に辿り着いたかの入力を受け付けることにより、移動経路情報を取得してもよい。なお、ＧＰＳ情報はカメラに付属のＧＰＳ手段から取得されるものに限られず、カメラとは別個のハンディＧＰＳ手段や自動車に搭載されたカーナビからＧＰＳ情報を取得して画像データに付与してもよい。
【００１３】
　なお、携帯電話は自身の場所を表す場所情報を携帯電話の基地局から受信している。したがって、携帯電話が受信した場所情報に基づいて移動経路情報を取得してもよい。
【００１４】
　また、移動方法が鉄道の場合、出発地点、最終目的地、出発日時および最終目的地への到着日時が分かれば、乗車した列車および下車した駅の情報を知ることができる。乗車した列車および下車した駅が分かれば、移動経路上の任意の位置の通過時刻も分かる。また、移動方法が自動車の場合、出発地点、最終目的地、出発日時および最終目的地への到着日時が分かれば、平均的な自動車の移動速度を考慮することにより、移動経路および移動経路上の任意の位置における通過時刻が分かる。したがって、本発明によるアルバム作成装置においては、前記移動経路情報取得手段を、少なくとも出発地点、最終目的地、出発日時、最終目的地への到着日時および移動方法の情報に基づいて、鉄道経路探索ソフト、自動車経路探索ソフト等を用いて移動経路情報を取得する手段としてもよい。
【００１５】
　また、ＧＰＳ情報、携帯電話の場所情報並びに鉄道経路探索ソフトおよび自動車経路探索ソフトにより得られる情報を組み合わせて移動経路情報を取得してもよい。例えば、画像データにＧＰＳ情報が付与されていればそれを優先的に用いて移動経路情報を取得するが、ＧＰＳ衛星からの測位用電波が受信できなかったために画像データにＧＰＳ情報が付与されていない場合には、鉄道経路探索ソフトにより得られる情報を用いて移動経路情報を取得してもよい。また、自動車経路探索ソフトを用いることにより平均的な自動車の移動速度を考慮して取得した移動経路情報を、画像データに付与されたＧＰＳ情報に基づいて修正してより精度の高い移動経路情報を取得するようにしてもよい。
【００１６】
　「地図データベース」は、複数の地図データを記憶してなるものであり、「複数の地図データ」としては、日本全国のみならず世界各国における様々な縮尺の地図を表すデータ、鉄道、自動車、自転車、船および飛行機さらには徒歩等、移動方法の種類に応じた経路が示されている地図を表すデータを用いることができる。また、経時により道路や鉄道の状況は変更されるため、年代に応じた複数の地図データを地図データベースに記憶しておいてもよい。
【００１７】
　「取得情報」としては、それが付与された移動経路上の位置において画像データが取得されたことを、アルバムデータを見る者に認識させることが可能な情報である。具体的には、地図と画像データのサムネイル画像とを並べて表示するとともに、サムネイル画像とサムネイル画像に対応する画像データの取得場所とを線で結ぶ場合の線、デジタルカメラにより取得される画像データの規格であるＥｘｉｆ規格のサムネイル画像のように画像データのファイルに内包されるデータとして縮小地図画像を画像データに付与するあるいは画像と地図とを組み合わせた画像をＥｘｉｆ規格のサムネイル画像に代えて画像データに付与するに際し、地図上に画像データの取得場所をプロットする場合のプロット、取得場所に付与されたアイコン等を取得情報として用いることができる。
【００１８】
　「取得情報と画像データとを関連付ける」とは、取得場所において取得された画像データの内容が分かるようにすることを意味する。具体的には、地図と画像データのサムネイル画像とを並べて表示するとともに、サムネイル画像とサムネイル画像に対応する画像データの取得場所とを線で結ぶ、Ｅｘｉｆ規格のサムネイル画像のように画像データのファイルに内包されるデータとして縮小地図画像を追加するあるいは画像と地図とを組み合わせた画像をＥｘｉｆ規格のサムネイル画像に代えて画像データに付与する場合に、地図上にその画像データの取得場所をプロットする、地図上に画像データを表すアイコンを画像データの取得場所に対応して付与し、アイコンをクリックすることによりその場所において取得した画像データを再生可能とすること等をいう。
【００１９】
　ここで、作成されたアルバムデータは、ウェブサイトに保管してもよく、ＣＤ−Ｒ、ＤＶＤ−Ｒ、メモリカード等の書き込み可能なメディアに記録してもよく、モニタに表示するおよびプリント出力する等して直ちに再生してもよい。
【００２０】
　なお、本発明によるアルバム作成装置においては、前記アルバムデータ作成手段を、前記取得場所に関連する関連情報をさらに取得し、該関連情報を前記地図データと関連付けて前記アルバムデータを作成する手段としてもよい。
【００２１】
　「関連情報」としては、画像データの取得場所またはその近傍において他人が取得した画像データ、取得場所またはその近傍において予め録音する等して得られた、取得場所またはその近傍において著名な音楽や音を表す音声データ、取得場所またはその近傍が名所旧跡のような著名な場所である場合においてはその場所の説明を表すテキストデータ等を用いることができる。なお、関連情報が他人の画像データである場合には、特にプロのカメラマンが撮影した画像データや、航空写真や鳥瞰写真のように通常では撮影できないような写真の画像データを含めることが好ましい。また、画像データには静止画像を表すもののみならず、動画像を表す動画像データを含めてもよい。
【００２２】
　また、本発明によるアルバム作成装置においては、前記地図データ取得手段を、前記アルバムを作成するユーザのユーザ情報にも基づいて、前記地図データを取得する手段としてもよい。
【００２３】
　「ユーザ情報」とは、ユーザの年齢、職業、趣味等、ユーザの好みを推定可能な情報を意味する。
【００２４】
　本発明によるアルバム作成方法は、取得時間を表す時間情報が付与された少なくとも１つの画像データに基づいて、該画像データを含むアルバムデータを作成するアルバム作成方法において、
　移動経路および該移動経路上の所望とする位置における通過時刻に関する情報を含む移動経路情報を取得し、
　該移動経路情報に基づいて、前記移動経路を含む地図データを、複数の地図データを記憶した地図データベースから取得し、
　前記移動経路情報および前記時間情報に基づいて、前記移動経路上における前記画像データの取得場所を推定し、
　前記移動経路における前記取得場所に前記画像データが取得されたことを表す取得情報を付与するとともに、前記取得情報と前記画像データとを関連付けた前記地図データを含むアルバムデータを作成することを特徴とするものである。
【００２５】
　なお、本発明によるアルバム作成方法をコンピュータに実行させるためのプログラムとして提供してもよい。
【発明の効果】
【００２６】
　本発明によれば、移動経路および移動経路上の通過時刻に関する情報を含む移動経路情報が取得され、移動経路情報に基づいて、移動経路を含む地図データが地図データベースから取得される。そして、移動経路情報および画像データに付与された時間情報に基づいて、移動経路上における画像データの取得場所が推定される。さらに、移動経路上における推定された取得場所に、画像データが取得されたことを表す取得情報が付与されるとともに、取得情報と画像データとを関連付けた地図データを含むアルバムデータが作成される。
【００２７】
　このため、移動経路情報さえ取得できれば、地図データにより表される地図の移動経路上において、画像データをその取得場所と簡易に関連付けることができる。したがって、画像データと取得場所との関連付けを容易に行って、アルバムデータを容易に作成することができる。
【００２８】
　また、画像データの取得場所に関連する関連情報を取得し、これを地図データと関連付けてアルバムデータを作成することにより、ユーザが撮影した画像データのみならず、その画像データを取得した場所に関連する情報をアルバムデータに含めることができる。したがって、アルバムの内容をより充実させることができる。
【００２９】
　また、移動経路情報を、少なくとも出発地点、最終目的地、出発日時、最終目的地への到着日時および移動方法の情報に基づいて取得することにより、ＧＰＳ手段や携帯電話のように画像データの取得場所を表す情報を取得する手段を携帯しなくても、比較的簡単な入力を行うのみで移動経路情報を取得することができる。したがって、移動経路情報を取得する際のユーザの負担を軽減することができる。
【００３０】
　また、アルバムを作成するユーザのユーザ情報にも基づいて、移動経路を含む地図データを取得することにより、ユーザの好みを反映させた地図データを取得することができるため、アルバムデータにより表されるアルバムをよりユーザ好みの内容にすることができる。
【発明を実施するための最良の形態】
【００３１】
　以下図面を参照して本発明の実施形態について説明する。図１は本発明の実施形態によるアルバム作成装置を適用したアルバム作成システムの構成を示す概略ブロック図である。図１に示すように、本実施形態によるアルバム作成システムは、インターネット等のネットワーク１に接続され、後述するようにアルバムを作成するための種々の作業を行う、アルバムの作成を所望するユーザが有するパソコン２と、同様にネットワーク１に接続され、ネットワーク１経由で送信された画像データＳ０の保管およびアルバムの作成を行うアルバム作成支援サーバ３との間で、データのやり取りを行うものである。
【００３２】
　本実施形態においては、旅行に出かけたユーザが、旅行中に撮影した画像についてのアルバムを作成すべく、画像データＳ０およびアルバム作成のための必要な情報をパソコン２からアルバム作成支援サーバ３へ送信し、アルバム作成支援サーバ３において画像データＳ０を用いてアルバムを表すアルバムデータＡＬを作成するものとする。
【００３３】
　なお、本実施形態においては、画像データＳ０の取得はユーザが所有するデジタルカメラにより行われたものとする。ここで、デジタルカメラにより取得された画像データＳ０にはそのタグ情報に撮影日時を表す撮影日時情報が記述されている。
【００３４】
　パソコン２には、デジタルカメラにより取得された画像データＳ０を記録したメモリカードを読み取るカードリーダ２Ａが接続されている。また、パソコン２には、画像データＳ０の管理を行う画像管理ソフトウェアがインストールされている。この画像管理ソフトウェアは、アルバム作成支援サーバ３と通信を行ってアルバム作成のためのウェブページを表示するウェブブラウザとしての機能を有する。ユーザは、この画像管理ソフトウェアを用いてアルバム作成支援サーバ３のウェブサイトにアクセスし、画像管理ソフトウェアが有するウェブサイトに指示を行う機能を用いてアルバム作成支援サーバ３に対してアルバムデータＡＬ作成の指示を行うものとする。
【００３５】
　アルバム作成支援サーバ３は、種々のデータや情報を保管する大容量ハードディスクからなる保管手段３１と、ネットワーク１に接続されるとともに、アルバム作成支援サーバ３のウェブサイトを管理するウェブサーバ３２と、パソコン２から送信された画像データＳ０を用いてアルバムデータＡＬを作成するアルバム作成サーバ３３と、アルバムデータＡＬをＣＤ−ＲやＤＶＤ−Ｒ等のメディアＭ１に記録するメディアドライブ３４と、アルバムデータＡＬをプリント出力するプリンタ３５とがバス３６によって接続されて構成されている。
【００３６】
　保管手段３１には、ネットワーク１経由でユーザのパソコン２から送信された画像データＳ０、画像データＳ０をレイアウトしてアルバムデータを作成するための種々のテンプレート、後述する地図を表す複数の地図データＭＰを管理する地図データベースＤＢ１、作成されたアルバムデータＡＬ、アルバム作成支援サーバ３にアクセスするユーザの情報、後述する移動経路を表す移動経路情報を作成するために必要な鉄道経路探索ソフト等のソフトウェアおよび時刻表等、アルバム作成支援サーバ３においてアルバム作成等の処理を行うために必要なあらゆる情報が記憶されている。
【００３７】
　また、保管手段３１には、ユーザが移動経路において撮影し忘れた場合や訪問場所が撮影禁止であった場合を考慮して、地図上の移動経路の様々な位置においてプロのカメラマンが撮影した画像を表す画像データや、航空写真および鳥瞰写真のように通常の撮影では取得することができない写真の画像データ（以下ユーザの画像データＳ０を区別するために他者画像データとする）が保管されている。さらに、地図上の様々な位置における名所および旧跡等の説明文を表すテキストデータ、その位置において録音することにより取得された、その位置において著名な民謡等の音楽や音を表す音声データ等のスポット情報も保管手段３１に保管されている。なお、他者画像データおよびスポット情報は、地図上の場所を表す情報（例えば緯度および経度）と対応付けられて保管されている。
【００３８】
　地図データベースＤＢ１は、複数の地図データＭＰを記憶してなるものである。具体的には、日本全国のみならず世界各国における様々な縮尺の地図を表す地図データＭＰ、鉄道、自動車、自転車、船および飛行機さらには徒歩等、旅行における移動方法の種類に応じた経路が示されている地図データＭＰが記憶されている。また、経時により道路や鉄道の状況は変更されるため、年代に応じた複数の地図データＭＰが地図データベースＤＢ１に記憶されている。さらに、アルバムデータＡＬの作成を依頼するユーザの好みをアルバムデータＡＬに反映させるべく、鉄道の経路、高速道路の経路および登山の経路等をより分かりやすく表した地図データＭＰも地図データベースＤＢ１に保管されている。
【００３９】
　ユーザの情報としては、ユーザの氏名、ユーザＩＤ、パスワード、住所、電話番号、年齢、職業のほか、ユーザの趣味（例えばドライブが趣味、鉄道旅行が趣味、海外旅行が趣味等）のユーザの好みを推定可能な情報が含まれる。ここで、ユーザの情報は、ユーザがアルバム作成支援サーバ３に登録を行う際に、ユーザが入力することにより、パソコン２からアルバム作成支援サーバ３に送信されたものである。
【００４０】
　なお、ユーザがアルバム作成支援サーバ３にアクセスした場合には、ユーザにユーザＩＤおよびパスワードを入力させることによりユーザの認証が行われ、認証されたユーザにのみアルバム作成支援サーバ３へのアクセスが許可される。
【００４１】
　ウェブサーバ３２は、アルバム作成支援サーバ３のウェブサイトを管理するとともに、アルバムデータＡＬの作成時にパソコン２に表示するためのウェブページを生成してパソコン２に送信する。このウェブページは、アルバムデータＡＬの作成に必要な画像データＳ０の選択、画像データＳ０のアルバム作成支援サーバ３への送信、アルバムデータＡＬの作成に必要な情報の入力等をユーザに行わせるためのインターフェースとなるとともに、作成したアルバムデータＡＬの表示を行うものである。また、ウェブサーバ３２は、アルバム作成支援サーバ３にアクセスするユーザの認証も行う。
【００４２】
　アルバム作成サーバ３３は、パソコン２からの指示に基づいて、アルバムデータＡＬを作成する。なお、アルバム作成サーバ３３において行われる処理については後述する。
【００４３】
　メディアドライブ３４は、作成されたアルバムデータＡＬを、ＣＤ−Ｒ、ＤＶＤ−Ｒ、メモリカード等のメディアＭ１に記憶する。
【００４４】
　プリンタ３５は、作成されたアルバムデータＡＬをアルバムとしてプリント出力する。プリント出力されたアルバムは製本されてユーザに渡される。
【００４５】
　次いで、本実施形態において行われる処理について説明する。図２から図５は、本実施形態においてアルバムデータＡＬの作成時に行われる処理を示すフローチャートである。なお、ユーザはデジタルカメラにより取得した画像データＳ０をカードリーダ２Ａからパソコン２に取り込んでいるものとする。また、ユーザは画像管理ソフトウェアを立ち上げており、画像管理ソフトウェアによりアルバム作成支援サーバ３にアクセスしてアルバムデータＡＬの作成を行うものとする。
【００４６】
　まず、パソコン２には初期画面が表示される（ステップＳ１）。図６は、パソコン２に表示された画像管理ソフトウェアの初期画面を示す図である。図６に示すように初期画面１０には、画像データＳ０の保管場所を示すフォルダを表示するフォルダフレーム１０Ａ、選択されたフォルダに保管されている画像データＳ０のサムネイル画像を表示するサムネイル画像フレーム１０Ｂ、種々の操作ボタンを表示する操作フレーム１０Ｃおよびアルバム作成支援サーバ３に対する指示を行うための指示ボタンを表示する指示フレーム１０Ｄが表示される。なお、図６に示す初期画面１０においては、パソコン２に保管されているデジカメ画像フォルダにある０１〜０５の５つのフォルダのうち、０３フォルダが選択された状態を示している。
【００４７】
　サムネイル画像フレーム１０Ｂには、選択したフォルダに保管された画像データＳ０のサムネイル画像の一覧とともに、各サムネイル画像に対応する画像データＳ０のファイル名が表示される。この状態において、一のサムネイル画像をパソコン２のマウス（不図示）によりダブルクリックすると、別ウィンドウでそのサムネイル画像に対応する画像データＳ０が拡大表示される。また、一のサムネイル画像をシングルクリックすると、そのサムネイル画像を反転表示させるあるいは枠の色を変更する等して、そのサムネイル画像を選択することができる。なお、サムネイル画像フレーム１０Ｂには、スクロールバー１０Ｅが付与されており、選択したフォルダに保管された全ての画像データＳ０のサムネイル画像がサムネイル画像フレーム１０Ｂに表示されていない場合には、スクロールバー１０Ｅを用いてサムネイル画像フレーム１０Ｂをスクロールすることにより、選択したフォルダに保管されている全ての画像データＳ０のサムネイル画像を表示することができる。
【００４８】
　操作フレーム１０Ｃには、種々のボタンが表示されているが、ここではアルバムの作成に用いられるボタンについてのみ説明する。取り込みボタン１１Ａは、カードリーダ２Ａに挿入されたメモリカードやパソコン２に接続されたデジタルカメラから画像データＳ０をパソコン２に取り込む際にクリックされる。移動経路ボタン１１Ｂは、後述するように地図データＭＰを取り込む際に必要な移動経路情報を作成する際にクリックされる。ＣＤボタン１１Ｃは、作成されたアルバムデータＡＬをメディアＭ１に記録する注文をアルバム作成支援サーバ３に対して行う際にクリックされる。プリントボタン１１Ｄは、作成されたアルバムデータＡＬのプリント出力および製本の注文をアルバム作成支援サーバ３に対して行う際にクリックされる。ウェブボタン１１Ｅは、作成されたアルバムデータＡＬをアルバム作成支援サーバ３に保管して、ウェブページとして閲覧に供する際にクリックされる。
【００４９】
　指示フレーム１０Ｄには、地図データＭＰをパソコン２に取り込む際にクリックされる地図取り込みボタン１２Ａ、アルバムデータＡＬの作成を指示する際にクリックされるアルバム作成ボタン１２Ｂ、後述するように他人が撮影した画像データをアルバムデータＡＬに付与する際にクリックされる他者画像ボタン１２Ｃおよび画像データＳ０を取得した場所に関するスポット情報をアルバムデータＡＬに付与する際にクリックされるスポット情報ボタン１２Ｄが表示されている。
【００５０】
　なお、地図取り込みボタン１２Ａは、取得場所を表す場所情報が付与されている画像データＳ０を用いてアルバムデータＡＬを作成する際に、画像データＳ０に付与された場所情報を参照して地図データＭＰを取得する場合に押下されるものである。本実施形態は、後述するようにアルバム作成支援サーバ３に移動経路情報を作成させ、作成された移動経路情報に基づいて地図データＭＰを取得する例について説明するため、地図取り込みボタン１２Ａは使用されないものである。
【００５１】
　ここで、例えば画像データＳ０を取得したデジタルカメラがＧＰＳ情報を受信するＧＰＳ手段を有する場合には、ＧＰＳ手段により取得された取得場所の緯度および経度を表すＧＰＳ情報が場所情報として画像データＳ０に付与される。また、ＧＰＳ手段のみならず、携帯電話とデジタルカメラとを接続し、携帯電話の基地局から発信される携帯電話の所在地を表す情報をデジタルカメラに入力し、これを場所情報として画像データＳ０に付与する場合もある。
【００５２】
　また、画像データＳ０を磁気情報を記録可能なフイルムに記録された画像を読み取ることにより得る場合において、カメラにＧＰＳ手段や携帯電話の場所情報を取得する機能を設けておき、取得された場所情報をフイルムの磁気記録部に記憶しておき、画像データＳ０の取得時に磁気記録部に記録された場所情報も同時に読み取って、読み取った画像データＳ０に場所情報を付与する場合もある。
【００５３】
　ユーザは、初期画面１０のフォルダフレーム１０Ａにおいて、アルバムデータＡＬを作成する画像データＳ０が保管されたフォルダを選択すると、選択したフォルダに保管されている画像データＳ０のサムネイル画像の一覧がサムネイル画像フレーム１０Ｂに表示される。
【００５４】
　この状態において、移動経路ボタン１１Ｂがクリックされたか否かの監視が開始され（ステップＳ２）、ステップＳ２が肯定されると、パソコン２がアルバム作成支援サーバ３にアクセスされる（ステップＳ３）。続いて、ユーザＩＤおよびパスワードを入力させるための認証画面（不図示）が表示され、ユーザＩＤおよびパスワードの入力が受け付けられる（ステップＳ４）。アルバム作成支援サーバ３のウェブサーバ３２においてはユーザの認証が行われて認証ＯＫであるか否かが判定される（ステップＳ５）。ステップＳ５が肯定されるとアクセスが許可され（ステップＳ６）、その後の処理が行われる。ステップＳ５が否定されるとアクセスが不許可とされ（ステップＳ７）、処理を終了する。
【００５５】
　アクセスが許可されると、移動経路情報を作成するのに必要な情報を入力させるための移動経路情報作成画面を表すウェブページがウェブサーバ３２により作成され（ステップＳ８）、ユーザのパソコン２に移動経路情報作成画面が表示される（ステップＳ９）。
【００５６】
　図７は移動経路情報作成画面を示す図である。図７に示すように、移動経路情報作成画面１３には、ユーザに旅行の出発地点を入力させるための出発地点入力ボックス１３Ａ、最終目的地を入力させるための最終目的地入力ボックス１３Ｂ、出発日時を入力させるための出発日時入力ボックス１３Ｃ、最終目的地への到着日時を入力させるための到着日時入力ボックス１３Ｄ、必要な場合に経由地を入力させるための経由地入力ボックス１３Ｅ、移動方法を入力させるための移動方法入力ボックス１３Ｆおよび入力された情報をアルバム作成支援サーバ３に送信する送信ボタン１３Ｇが表示されている。
【００５７】
　ユーザは、それぞれの入力ボックス１３Ａ〜１３Ｆに出発地点、最終目的地、出発日時、到着日時、経由地および移動方法を入力する。なお、移動方法としては、徒歩、鉄道、自動車、船、飛行機等あらゆる移動方法を入力することができる。また、移動方法は限られているため、移動方法入力ボックス１３Ｆに代えて、複数の移動方法を並べて表示するとともに、各移動方法にチェックボックスを付与し、チェックボックスをチェックさせることにより移動方法を入力させるようにしてもよい。
【００５８】
　また、これらの項目以外にも、例えば、自動車で移動した場合を考慮して、道路が空いていた、渋滞していた等の情報を入力させるようにしてもよい。
【００５９】
　移動経路情報作成画面１３の表示後、送信ボタン１３Ｇがクリックされたか否かの監視が開始され（ステップＳ１０）、ステップＳ１０が肯定されると、移動経路情報作成画面１３に入力された情報がアルバム作成支援サーバ３に送信される（ステップＳ１１）。
【００６０】
　アルバム作成支援サーバ３においては、移動経路情報作成画面１３に入力された情報が受信される（ステップＳ１２）。この情報は、アルバム作成サーバ３３に入力され、ここで移動経路情報が作成される（ステップＳ１３）。
【００６１】
　ここで、移動方法が鉄道の場合、出発地点、最終目的地、出発日時および最終目的地への到着日時が分かれば、保管手段３１に保管されている鉄道経路探索ソフトを用いることにより、乗車した列車、乗車した駅および下車した駅の情報を知ることができる。乗車した列車、乗車した駅および下車した駅が分かれば、移動経路および移動経路上の任意の位置の通過時刻も分かる。また、移動方法が自動車の場合、出発地点、最終目的地、出発日時および最終目的地への到着日時が分かれば、平均的な自動車の速度を考慮することにより、移動経路および移動経路上の任意の位置の通過時刻が分かる。
【００６２】
　アルバム作成サーバ３３は入力された情報に基づいて保管手段３１に保管されているソフトウェアおよび時刻表等を用いた演算を行うことにより、ユーザの移動経路を表す移動経路情報を作成することができる。
【００６３】
　例えば、移動方法が鉄道であって、出発地点が東京駅、最終目的地が盛岡、出発日時が２００１年９月１１日の午前８時４６分、到着日時が２００１年９月１１日の午後５時００分と入力された場合には、東京と盛岡の間の東北新幹線が移動経路となる。また、乗車した列車が概ね分かるため、時刻表を参照することにより、移動経路上において指定された位置のユーザの通過時刻を知ることもできる。移動経路情報はこの東北新幹線の線路が存在する位置および移動経路上におけるユーザの通過時刻を算出する際に必要な情報となる。なお、経由地が移動経路上における主要な駅である場合には、通過時刻はその主要な駅の通過時刻を用いて算出することもできるため、主要な駅の通過時刻を移動経路情報に含めてもよい。
【００６４】
　また、移動経路が徒歩であって、出発地点が富士山の麓、最終目的地が富士山の頂上、出発日時が２００２年８月１１日の午後１１時、到着日時が２００２年８月１２日の午前４時である場合、富士山の登山路が移動経路となる。また、富士山の登山路の距離が分かれば出発日時および到着日時から、ユーザの移動速度が概ね分かるため、移動経路上の任意の位置におけるユーザの通過時刻を知ることもできる。移動経路情報はこの富士山の登山路が存在する位置および移動経路上におけるユーザの通過時刻を算出する際に必要な情報となる。
【００６５】
　このようにして移動経路情報が作成されると、作成された移動経路情報により表される移動経路を含む地図データＭＰが保管手段３１に保管された地図データベースＤＢ１から選択される（ステップＳ１４）。この際、現在アクセス中のユーザのユーザ情報を参照して、ユーザの好みを反映させた地図データＭＰを選択してもよい。
【００６６】
　ここで、地図データＭＰは、ユーザの移動経路を最大限に表示可能な縮尺のものが選択される。なお、必要に応じて保管手段３１に保管されている地図データから移動経路を最大限に表示可能な範囲を切り出して、これを地図データＭＰとして用いてもよい。また、保管手段３１には年代毎の地図データＭＰも保管されているため、画像データＳ０に付与された撮影日時情報に基づいて、画像データＳ０を撮影した年代の地図データＭＰが選択される。
【００６７】
　そして、選択された地図データＭＰがパソコン２に送信され（ステップＳ１５）、パソコン２に地図データＭＰが表示される（ステップＳ１６）。
【００６８】
　図８は、地図表示画面を示す図である。図８に示すように地図表示画面１４には、初期画面１０におけるフォルダフレーム１０Ａの下側に地図フレーム１４Ａを含む点が初期画面１０と異なる。地図フレーム１４Ａには、アルバム作成支援サーバ３から送信された地図データＭＰが表示される。なお、地図フレーム１４Ａに表示された地図上には、移動経路が例えば太線により示されている。これにより、ユーザはアルバムデータＡＬに使用する地図データＭＰを確認することができる。
【００６９】
　続いて、ユーザによるアルバムデータＡＬに含める画像データＳ０の選択後にアルバム作成ボタン１２Ｂがクリックされたか否かが判定され（ステップＳ１７）、ステップＳ１７が肯定されると、選択した画像データＳ０がアルバム作成支援サーバ３に送信される（ステップＳ１８）。
【００７０】
　アルバム作成支援サーバ３においては画像データＳ０が受信され（ステップＳ１９）、アルバム作成サーバ３３において画像データＳ０および地図データＭＰに基づいてアルバムデータＡＬが作成される（ステップＳ２０）。具体的には、予め定められたテンプレートに画像データＳ０および地図データＭＰを配置することにより、アルバムデータＡＬが作成される。
【００７１】
　なお、画像データＳ０には日時情報が付与されているため、日ごとに地図データＭＰを選択し、画像データＳ０を取得した日ごとにまとめてアルバムデータＡＬを作成してもよい。
【００７２】
　作成されたアルバムデータＡＬはウェブページとしてパソコン２に送信される（ステップＳ２１）。
【００７３】
　一方、ステップＳ１７が否定されると、地図上の所望とする位置がクリックされた後に他者画像ボタン１２Ｃがクリックされたか否かが判定される（ステップＳ２２）。ステップＳ２２が肯定されると、クリックされた地図上の位置の情報（クリック位置情報とする）がアルバム作成支援サーバ３に送信される（ステップＳ２３）。
【００７４】
　アルバム作成支援サーバ３においてはクリック位置情報が受信され（ステップＳ２４）、地図上のクリック位置に対応する他者画像データが保管手段３１から読み出されてパソコン２に送信される（ステップＳ２５）。なお、この際に送信される他者画像データは、パソコン２に表示された際にその内容が分かる程度のものでよいため、後述するようにパソコン２にサムネイル画像を表示できる程度のサイズでよいものである。
【００７５】
　なお、地図上の所望とする領域を選択することにより、選択した領域の情報をアルバム作成支援サーバ３に送信し、選択した領域に対応する他者画像データを保管手段３１から読み出してパソコン２に送信してもよい。ここで、領域の選択は、マウスによる範囲のドラッグや、中心位置のクリックの後に半径を指定する等の操作により行うことができる。
【００７６】
　パソコン２には他者画像データが表示される（ステップＳ２６）。図９は他者画像表示画面を示す図である。図９に示すように他者画像表示画面１５には、地図表示画面１４におけるサムネイル画像フレーム１０Ｂに代えて、他者画像データのサムネイル画像を一覧表示した他者画像サムネイル表示フレーム１５Ａが表示されるとともに、指示フレーム１０Ｄの下側に、地図表示画面１４に戻るための戻るボタン１５Ｂが表示される点が地図表示画面１４と異なる。
【００７７】
　ユーザは他者画像表示画面１５において他者画像データのサムネイル画像をクリックすることにより、アルバムに含めたい他者画像データを選択することができる。この際、複数の他者画像データを選択してもよい。なお、戻るボタン１５Ｂをクリックすることにより、他者画像データを選択することなく、地図表示画面１４に戻ることができる。そして、アルバム作成ボタン１２Ｂがクリックされたか否かの監視が開始され（ステップＳ２７）、ステップＳ２７が肯定されると、選択した他者画像データを特定する情報（例えば選択した他者画像データのファイル名）が画像データＳ０とともにアルバム作成支援サーバ３に送信される（ステップＳ２８）。
【００７８】
　アルバム作成支援サーバ３においては画像データＳ０および他者画像データを特定する情報が受信され（ステップＳ２９）、アルバム作成サーバ３３により、保管手段３１からユーザが選択した他者画像データが読み出されて、画像データＳ０、他者画像データおよび地図データＭＰに基づいてアルバムデータＡＬが作成される（ステップＳ３０）。作成されたアルバムデータＡＬはウェブページとしてパソコン２に送信される（ステップＳ３１）。
【００７９】
　一方、ステップＳ２２が否定されると、地図上の所望とする位置がクリックされた後にスポット情報ボタン１２Ｄがクリックされたか否かが判定される（ステップＳ３２）。ステップＳ３２が肯定されると、クリックされた地図上の位置の情報（クリック位置情報とする）がアルバム作成支援サーバ３に送信される（ステップＳ３３）。
【００８０】
　アルバム作成支援サーバ３においては、クリック位置情報が受信され（ステップＳ３４）、地図上のクリック位置に対応するスポット情報が保管手段３１から読み出されて、パソコン２に送信される（ステップＳ３５）。
【００８１】
　パソコン２にはスポット情報が表示される（ステップＳ３６）。図１０はスポット情報表示画面を示す図である。図１０に示すようにスポット情報表示画面１６には、地図表示画面１４におけるサムネイル画像フレーム１０Ｂに代えて、スポット情報を一覧表示したスポット情報表示フレーム１６Ａが表示されるとともに、指示フレーム１０Ｄの下側に、地図表示画面１４に戻るための戻るボタン１６Ｂが表示される点が地図表示画面１４と異なる。ここで、スポット情報表示フレーム１６Ａには、番号が付与された複数のスポット情報が表示される。
【００８２】
　なお、スポット情報が音声データの場合には、番号およびスポット情報の説明とともに再生ボタン１６Ｃが表示される。ユーザは再生ボタン１６Ｃをクリックすることにより音声データを再生することができる。
【００８３】
　ユーザはスポット情報表示画面１６において、スポット情報の番号をクリックすることにより、アルバムに含めたいスポット情報を選択することができる。この際、複数のスポット情報を選択してもよい。なお、戻るボタン１６Ｂをクリックすることにより、スポット情報を選択することなく地図表示画面１４に戻ることができる。そして、アルバム作成ボタン１２Ｂがクリックされたか否かの監視が開始され（ステップＳ３７）、ステップＳ３７が肯定されると、選択したスポット情報を特定する情報（例えばスポット情報の番号）が画像データＳ０とともにアルバム作成支援サーバ３に送信される（ステップＳ３８）。
【００８４】
　アルバム作成支援サーバ３においては画像データＳ０およびスポット情報を特定する情報が受信され（ステップＳ３９）、アルバム作成サーバ３３により、保管手段３１からユーザが選択したスポット情報が読み出されて、画像データＳ０、スポット情報および地図データＭＰに基づいてアルバムデータＡＬが作成される（ステップＳ４０）。作成されたアルバムデータＡＬはウェブページとしてパソコン２に送信される（ステップＳ４１）。
【００８５】
　パソコン２に送信されたアルバムデータＡＬはアルバム表示画面に表示される（ステップＳ４２）。図１１はアルバム表示画面を示す図である。図１１に示すように、アルバム表示画面１７には、地図表示画面１４におけるサムネイル画像フレーム１０Ｂに代えて、アルバムデータＡＬにより表されるアルバムを表示したアルバム表示フレーム１７Ａが表示されるとともに、指示フレーム１０Ｄの下側に、地図表示画面１４に戻るための戻るボタン１７Ｂおよびアルバムのレイアウトを変更するためのレイアウト変更ボタン１７Ｃが表示される点が地図表示画面１４と異なる。
【００８６】
　図１２はアルバム表示フレーム１７Ａに表示されたアルバムの詳細なレイアウトを示す図である。図１２に示すように、アルバム表示フレーム１７Ａに表示されたアルバムにおいては、地図１８Ａ上にユーザの移動経路１８Ｂが太線で示され、その移動経路１８Ｂに沿って画像データＳ０の取得場所を表すアイコン１８Ｃが付与されている。なお、１つの画像データＳ０のみが対応付けられた地図上の位置においては１つのアイコン１８Ｃが付与され、複数の画像データＳ０が対応付けられた地図上の位置には、複数の画像データＳ０が対応付けられていることを示すアイコン１８Ｃが付与される。
【００８７】
　なお、ユーザは移動経路１８Ｂを通常往復しているため、地図１８Ａの移動経路１８Ｂおよび付与されるアイコンの色を、往路と復路とで異なるものとしてもよい。
【００８８】
　ここで、移動経路１８Ｂ上の位置と画像データＳ０との対応付けは、出発時刻と到着時刻と移動経路１８Ｂの距離とからユーザの移動速度を算出し、ユーザの移動速度と画像データＳ０に付与された撮影日時情報とに基づいて、出発地点からの画像データＳ０の撮影日時までに移動した距離を算出し、移動経路１８Ｂにおけるその距離の地点を画像データＳ０を取得した位置に設定することにより行うことができる。
【００８９】
　ユーザが地図１８Ａ上のアイコンをクリックすると、その位置に対応付けられた画像データＳ０のサムネイル画像の一覧１８Ｄが地図１８Ａの下方に表示される。なお、ユーザが他者画像データやスポット情報をアルバムデータＡＬに含める指示を行った場合には、サムネイル画像の一覧１８Ｄには、ユーザが選択した他者画像データのサムネイル画像１８Ｅやスポット情報１８Ｆも含まれる。なお、スポット情報が音声データの場合には再生ボタン１８Ｇが表示される。ここで、他者画像データのサムネイル画像１８Ｅは、ユーザの画像データＳ０と区別するために枠の色がユーザの画像データＳ０のサムネイル画像と異なるものとなっている。また、地図１８Ａ上の別の位置のアイコンをクリックすると、サムネイル画像の一覧がそのアイコンが付与された位置に対応付けられた画像データＳ０、他者画像データおよびスポット情報のものに切り替わる。
【００９０】
　ユーザは、アルバム表示画面１７において、戻るボタン１７Ｂをクリックすることにより、アルバムデータＡＬの出力等の処理を行うことなく、地図表示画面１４、他者画像表示画面１５またはスポット情報表示画面１６に戻ることができる。
【００９１】
　一方、レイアウト変更ボタン１７Ｃがクリックされたか否かが判定され（ステップＳ４３）、ステップＳ４３が肯定されると、レイアウト変更指示がアルバム作成支援サーバ３に送信される（ステップＳ４４）。
【００９２】
　アルバム作成支援サーバ３においては、レイアウト変更指示が受信され（ステップＳ４５）、変更されたレイアウトによりアルバムデータＡＬが作成される（ステップＳ４６）。すなわち、画像データＳ０、地図データＭＰ、他者画像データおよび／またはスポット情報を配置するテンプレートを変更することにより、図１２に示すアルバムとは異なるレイアウトのアルバムを表すアルバムデータＡＬが作成される。
【００９３】
　例えば、図１３に示すように、１枚の画像１８Ｉの一部に地図１８Ａを表示し、矢印ボタン１８Ｊ，１８Ｋをクリックすることにより、地図１８Ａの対応する位置の画像を切り替え表示させるようなレイアウトのアルバムを表すアルバムデータＡＬが作成される。
【００９４】
　再度作成されたアルバムデータＡＬはパソコン２に送信され（ステップＳ４７）、ステップＳ４２に戻り、ステップＳ４２以降の処理が行われる。
【００９５】
　ステップＳ４３が否定されると、ＣＤボタン１１Ｃ、プリントボタン１１Ｄまたはウェブボタン１１Ｅがクリックされることにより、アルバムデータＡＬの出力指示がなされたか否かが判定される（ステップＳ４８）。ステップＳ４８が肯定されると、出力指示がアルバム作成支援サーバ３に送信される（ステップＳ４９）。
【００９６】
　アルバム作成支援サーバ３においては出力指示が受信され（ステップＳ５０）、出力指示に応じてアルバムデータＡＬが出力される（ステップＳ５１）。すなわち、ＣＤボタン１１Ｃがクリックされた場合には、アルバムデータＡＬはメディアドライブ３４によりメディアＭ１に記録される。また、プリントボタン１１Ｄがクリックされた場合には、アルバムデータＡＬはプリンタ３５からプリント出力されて製本される。また、ウェブボタン１１Ｅがクリックされた場合には、アルバムデータＡＬは保管手段３１に保管され、ネットワーク１経由での閲覧に供される。
【００９７】
　なお、アルバムデータＡＬをプリント出力する場合には、地図１８Ａ上におけるまとまった画像データＳ０の取得場所毎に１枚ずつプリントがなされる。また、１枚のプリントにおいては、図１４に示すように、地図１８Ａの移動経路１８Ｂ上におけるアイコンが丸印１８Ｌで囲む等により特定され、特定されたアイコンが付与された取得場所において取得された画像データＳ０が一覧としてプリントされてなるものである。なお、プリントは音声データを生成できないため、図１２における再生ボタン１８Ｇはプリントには表示されない。
【００９８】
　パソコン２においては、終了指示がなされたか否かが判定され（ステップＳ５２）、ステップＳ５２が肯定されると処理を終了する。ステップＳ５２が否定されるとステップＳ１６に戻る。なお、ステップＳ３２が否定された場合およびステップＳ４８が否定された場合もステップＳ５２に進み、終了指示がなされたか否かが判定される。
【００９９】
　なお、プリント出力はパソコン２に接続されたユーザのプリンタにおいて行うことも可能である。
【０１００】
　このように、本実施形態においては、ユーザが入力した出発地点、最終目的地、出発日時、最終目的地への到着日時および移動方法の情報に基づいて、ユーザの移動経路および移動経路上の任意の位置における通過時刻に関する情報を含む移動経路情報を作成し、この移動経路情報に基づいて地図データベースＤＢ１から地図データＭＰを選択し、移動経路情報および画像データＳ０に付与された撮影日時情報に基づいて、画像データＳ０の取得場所を推定し、画像データＳ０の取得場所と地図データＭＰにより表される地図１８Ａ上の移動経路１８Ｂ上の場所とを対応付けてアルバムデータＡＬを作成するようにしたものである。
【０１０１】
　このため、移動経路情報さえ取得できれば、地図１８Ａの移動経路１８Ｂ上において、画像データＳ０をその取得場所と簡易に関連付けることができる。したがって、画像データＳ０と取得場所との関連付けを容易に行って、アルバムデータＡＬを容易に取得することができる。
【０１０２】
　また、他者画像データやスポット情報のように、画像データＳ０の取得場所に関連する情報を取得し、これにも基づいてアルバムデータＡＬを作成することにより、ユーザが取得した画像データＳ０のみならず、その画像データＳ０を取得した場所に関連する情報をアルバムデータＡＬに含めることができる。したがって、アルバムの内容をより充実させることができる。
【０１０３】
　また、移動経路情報を、少なくとも出発地点、最終目的地、出発日時、最終目的地への到着日時および移動方法の情報に基づいて取得することにより、ユーザは旅行中にＧＰＳ手段や携帯電話のように画像データＳ０の取得場所を表す情報を取得する手段を携帯しなくても、アルバムデータＡＬの作成時に、比較的簡単な入力を行うのみで移動経路情報を取得することができる。したがって、移動経路情報を取得する際のユーザの負担を軽減することができる。
【０１０４】
　また、アルバムを作成するユーザのユーザ情報にも基づいて、移動経路を含む地図データＭＰを取得することにより、ユーザの好みを反映させた地図データＭＰを取得することができるため、アルバムデータＡＬにより表されるアルバムをよりユーザ好みの内容にすることができる。
【０１０５】
　なお、上記実施形態においては、出発地点、最終目的地、出発日時、最終目的地への到着日時および移動方法の情報に基づいて、移動経路情報を取得しているが、ユーザのデジタルカメラがＧＰＳ手段を有する場合には、撮影により取得した画像データＳ０にＧＰＳ情報が撮影場所情報として付与される。したがって、このように画像データＳ０に撮影場所情報が付与されている場合には、図７に示す移動経路情報作成画面１３を用いての出発地点、最終目的地、出発日時、最終目的地への到着日時および移動方法の入力を行わなくとも、画像データＳ０に付与された撮影場所情報に基づいて移動経路情報を作成すればよい。
【０１０６】
　また、上記実施形態においては、他者画像ボタン１２Ｃをクリックすると地図上のクリック位置に対応した他者画像データをパソコン２に送信してアルバムデータＡＬに他者画像データを含めるようにしているが、画像データに代えて、クリック場所に対応付けられた動画データを他者画像データとして用いてもよい。
【０１０７】
　また、上記実施形態においては、移動経路情報やユーザ情報に基づいて地図データＭＰを選択しているが、アルバム作成サーバ３３がユーザ毎の地図データＭＰの選択パターンを学習し、ユーザに応じて選択する地図データＭＰの候補を徐々に少なくしていくようにすることが好ましい。これにより、地図データＭＰをユーザ毎に効率よく選択することができる。
【０１０８】
　また、上記実施形態においては、パソコン２からアルバム作成支援サーバ３にアクセスして、アルバム作成支援サーバ３においてアルバムデータＡＬを作成しているが、保管手段３１に保管されている情報をパソコン２に保管するとともに、アルバム作成サーバ３３における処理を実行可能なソフトウェアをパソコン２にインストールすることにより、ユーザはアルバム作成支援サーバ３にアクセスすることなく、パソコン２を用いてアルバムデータＡＬを作成することができる。
【図面の簡単な説明】
【０１０９】
【図１】本発明の実施形態によるアルバム作成装置を適用したアルバム作成システムの構成を示す概略ブロック図
【図２】本実施形態においてアルバム作成時に行われる処理を示すフローチャート（その１）
【図３】本実施形態においてアルバム作成時に行われる処理を示すフローチャート（その２）
【図４】本実施形態においてアルバム作成時に行われる処理を示すフローチャート（その３）
【図５】本実施形態においてアルバム作成時に行われる処理を示すフローチャート（その４）
【図６】画像管理ソフトウェアの初期画面を示す図
【図７】移動経路情報作成画面を示す図
【図８】地図表示画面を示す図
【図９】他者画像表示画面を示す図
【図１０】スポット情報表示画面を示す図
【図１１】アルバム表示画面を示す図
【図１２】アルバム表示フレームに表示されたアルバムの詳細なレイアウトを示す図
【図１３】レイアウトを変更したアルバムを示す図
【図１４】プリントされたアルバムのレイアウトを示す図
【符号の説明】
【０１１０】
　　　１　　ネットワーク
　　　２　　パソコン
　　　３　　アルバム作成支援サーバ
　　　１０　　初期画面
　　　１３　　移動経路情報作成画面
　　　１４　　地図表示画面
　　　１５　　他者画像表示画面
　　　１６　　スポット情報表示画面
　　　１７　　アルバム表示画面
　　　３１　　保管手段
　　　３２　　ウェブサーバ
　　　３３　　アルバム作成サーバ
　　　３４　　メディアドライブ
　　　３５　　プリンタ
【図１】
2004139575.tif 000003
【図２】
2004139575.tif 000004
【図３】
2004139575.tif 000005
【図４】
2004139575.tif 000006
【図５】
2004139575.tif 000007
【図６】
2004139575.tif 000008
【図７】
2004139575.tif 000009
【図８】
2004139575.tif 000010
【図９】
2004139575.tif 000011
【図１０】
2004139575.tif 000012
【図１１】
2004139575.tif 000013
【図１２】
2004139575.tif 000014
【図１３】
2004139575.tif 000015
【図１４】
2004139575.tif 000016